(57)【要約】フリーランス労働者の予想所得情報提供方法が提供される。本発明の一実施例に係るフリーランス労働者の予想所得情報提供方法は、求職者端末から前記求職者のアカウント情報を受信する段階と、一連の作業で構成された第１プロジェクトに対する作業情報、及び一連の作業で構成された第２プロジェクトに対する作業情報に基づいて、前記求職者の所定期間の予想所得を演算する段階と、前記演算された予想所得に対する情報を前記求職者端末へ送信する段階とを含んでなり、前記求職者の所定期間の予想所得を演算する段階は、前記第１プロジェクトの作業の中から、前記求職者の作業能力情報にマッチングする一部の作業を選定する段階と、前記第２プロジェクトの作業の中から、前記求職者の作業能力情報にマッチングする一部の作業を選定する段階と、前記選定された作業で構成された少なくとも一つの作業組み合わせに対する予想所得を演算する段階とを含む。
2018514883.tif 000002
【特許請求の範囲】
【請求項１】
求職者端末から求職者のアカウント情報を受信する段階と、
一連の作業で構成された第１プロジェクトに対する作業情報、及び一連の作業で構成された第２プロジェクトに対する作業情報に基づいて、前記求職者の所定期間の予想所得を演算する段階と、
前記演算された予想所得に対する情報を前記求職者端末へ送信する段階とを含んでなり、
前記作業情報は、各作業別に要求される作業能力情報、各作業別の作業期間情報、求人時期情報、及び各作業別の賃金情報を含み、
前記求職者の所定期間の予想所得を演算する段階は、
前記第１プロジェクトの作業の中から、前記求職者の作業能力情報にマッチングする一部の作業を選定する段階と、
前記第２プロジェクトの作業の中から、前記求職者の作業能力情報にマッチングする一部の作業を選定する段階と、
前記選定された作業で構成された少なくとも一つの作業組み合わせに対する予想所得を演算する段階とを含む、フリーランス労働者の予想所得情報提供方法。
【請求項２】
前記演算された予想所得に対する情報を前記求職者端末に送信する段階は、
前記少なくとも一つの作業組み合わせのうち、前記予想所得が最も高い作業組み合わせに対する情報を、前記求職者端末に送信する段階を含む、請求項１に記載のフリーランス労働者の予想所得情報提供方法。
【請求項３】
前記演算された予想所得に対する情報を前記求職者端末に送信する段階は、
前記少なくとも一つの作業組み合わせのうち、求職者の設定に対応する作業組み合わせに対する情報を、前記求職者端末に送信する段階を含み、
前記作業組み合わせに対する情報は、
前記作業組み合わせによる作業スケジュール情報、前記作業スケジュール情報に連動する地図情報及び予想所得情報、並びに前記求職者の仮想作業能力情報に基づく作業組み合わせに対する情報を含む、請求項１に記載のフリーランス労働者の予想所得提供方法。
【請求項４】
前記求職者の仮想作業能力情報に基づく作業組み合わせは、
前記求職者の作業能力がアップグレードされる場合に、前記アップグレードされる作業能力にマッチングが期待される作業を選定して構成される、請求項３に記載のフリーランス労働者の予想所得提供方法。
【請求項５】
前記求職者の作業能力アップグレードのための教育課程スケジューリング情報を前記求職者端末に提供する段階をさらに含む、請求項４に記載のフリーランス労働者の予想所得情報提供方法。
【請求項６】
前記第１プロジェクト及び第２プロジェクトの作業のうち、少なくとも一つの作業に対する教育課程情報を前記求職者端末に送信する段階と、
前記教育課程の修了か否かについての情報を前記求職者端末から受信する段階と、
前記教育課程の修了か否かについての情報を受信した結果、前記求職者が前記教育課程を修了した場合には、これに対する認証情報を生成して前記求職者の作業能力情報がアップグレードされるようにする段階とをさらに含む、請求項１に記載のフリーランス労働者の予想所得情報提供方法。
【請求項７】
前記教育課程情報を前記求職者端末に送信する段階は、
前記求職者端末に前記教育課程に該当するオンライン教育コンテンツを提供する段階を含む、請求項６に記載のフリーランス労働者の予想所得情報提供方法。
【請求項８】
前記作業情報は、作業取消条件を含み、
前記少なくとも一つの作業組み合わせに含まれている一部の作業が前記作業取消条件を満足する場合には、前記作業取消条件を満足する一部の作業を代替する作業を選定する段階と、
前記選定された代替作業を含んで構成される少なくとも一つの作業組み合わせに対する予想所得を演算する段階とをさらに含む、請求項１に記載のフリーランス労働者の予想所得情報提供方法。
【請求項９】
求職者端末から前記求職者の目標所得を受信する段階と、
一連の作業で構成された第１プロジェクトに対する作業情報、及び一連の作業で構成された第２プロジェクトに対する作業情報に基づいて、前記求職者の目標所得に対応する少なくとも一つの作業組み合わせを生成する段階と、
前記生成された作業組み合わせに対する情報を前記求職者端末に送信する段階とを含み、
前記作業情報は、各作業別に要求される作業能力情報、各作業別の作業期間情報、求人時期情報、及び各作業別の賃金情報を含み、
前記少なくとも一つの作業組み合わせを生成する段階は、
前記第１プロジェクトの作業の中から、前記求職者の作業能力情報にマッチングする一部の作業を選定する段階と、
前記第２プロジェクトの作業の中から、前記求職者の作業能力情報にマッチングする一部の作業を選定する段階と、
前記求職者の目標所得に対応するように前記選定された作業を組み合わせる段階とを含んでなる、フリーランス労働者の予想所得情報提供方法。
【請求項１０】
前記少なくとも一つの作業組み合わせが生成されない場合、
前記求職者の作業能力アップグレードのための教育課程スケジューリング情報を提供する前記求職者端末に提供する段階を含む、請求項９に記載のフリーランス労働者の予想所得情報提供方法。
【請求項１１】
前記生成された作業組み合わせに対する情報を前記求職者端末に送信する段階は、
前記求職者端末から、前記生成された作業組み合わせのほか、他の作業組み合わせの生成要求を受信する段階と、
前記他の作業組み合わせの生成要求に対応して新規作業組み合わせを生成する段階と、
前記生成された新規作業組み合わせに対する情報を前記求職者端末に送信する段階とを含み、
前記新規作業組み合わせを生成する段階は、
前記第１プロジェクトの作業のうち求職者の作業能力情報にマッチングする一部の作業、及び前記第２プロジェクトの作業のうち求職者の作業能力情報にマッチングする一部の作業の中から少なくとも一つを新規選定する段階と、
前記求職者の目標所得に対応するように、前記少なくとも新規選定された作業を少なくとも一つ含む新規作業組み合わせを生成する段階とを含む、請求項９に記載のフリーランス労働者の予想所得情報提供方法。
【請求項１２】
前記求職者端末から作業に対する選好度情報を受信する段階と、
前記選好度情報にマッチングする作業情報が登録されると、前記登録された作業情報と前記求職者の作業能力情報とがマッチングするか否かに対する通知を前記求職者端末に送信する段階とをさらに含む、請求項１または９に記載のフリーランス労働者の予想所得情報提供方法。
【発明の詳細な説明】
【技術分野】
【０００１】
本発明は、フリーランス労働者の予想所得情報提供方法に関する。より詳しくは、不規則な収入を得るフリーランス労働者が期待することが可能な年間所得または月間所得など、一定の期間の予想所得情報を提供する方法及び装置に関する。
【背景技術】
【０００２】
求人者の情報と求職者の情報を基にしたインターネットベースの求人／求職マッチングサービスが求人または求職活動に広く用いられている。既存の求人／求職マッチングサービスは、毎月一定の給与が提供される正規職／契約職、または時間あたり一定の給与が提供される時間制雇用に対するサービスを主に提供する。よって、毎月一定の給与が提供される雇用または時間あたり一定の給与が提供される雇用を探し難い一部の業種では、インターネットベースの求人／求職マッチングサービスがうまく活用されない。
【０００３】
例えば、農業、水産業、林業、畜産業、園芸業などの１次産業に属する業種には、毎月一定の給与を支給する雇用よりは、毎日または２〜３日程度、特定の作業を行う人力を求人する需要が多い。このような場合、給与は日当で提供されることが多い。農産物加工業、農産物流通業、食品製造業、農村観光業などの２次、３次産業にも、日当で給与を提供する業種が多数存在する。以下、このような業種を日当ベースの業種と称する。
【０００４】
前記日当ベースの業種に適した求人／求職マッチングサービスを提供するインターネットベースのサービスは未だ提供されていない。よって、前記日当ベースの業種では、依然として、人力管理事務所などの既存の方式にのみ依存して人力を補充しており、求職者にとっては、正確な作業スケジュール及び期待所得を予想することが容易ではないため、日当ベースの業種に対する求職に消極的になる。その結果、求職人力が高齢化され、十分な労働力が確保されないという問題点がある。
【０００５】
かかる問題点は、農業、水産業だけでなく、他の業種においても同様に適用される。例えば、建設業、広告業、流通業などの業種にも短期間、日当支払い方式で給与を提供する雇用が多数存在する。このような業種も、求職者が自分の作業能力に照らして一定の期間連続的な労働環境の提供を受け、これによる予想所得を期待することができるようにするインターネットベースの求人／求職マッチングサービスは受けていない。したがって、求職者は、当該業種に対して長期間の計画をもって参加して専門性を積むよりは、不可避に一回性の短期労働を選択する。これにより、当該業種の求人の際に、その分野の経験者よりは、作業に対する教育が必要とされる新規労働力が繰り返し流入するので、求人者にとっては毎回教育を実施しなければならないことによるコスト面の損害を甘受しなければならないという問題が発生する。
【０００６】
また、従来の求人／求職マッチングサービスは、求職者の作業経験及び熟練度などの変動可能情報を活用することができないので、求人者は、固定された情報に基づいて、限られた範囲の求職者のみを接することになり、求職者も、変動した作業経験が期待所得に反映され難いため、自分の能力に応じる作業を経験する機会が制限される。
【発明の概要】
【発明が解決しようとする課題】
【０００７】
本発明が解決しようとする技術的課題は、実行可能な作業に対する情報、プロフィールに対する情報などを含む求職者のアカウント情報を利用して、特定の期間の予想所得に対する情報を提供する方法及びその装置を提供することにある。
【０００８】
本発明が解決しようとする他の技術的課題は、求職者の作業能力が向上すると、求職者に向上した作業能力に対応する新しい参加可能な作業に対する情報、およびそれに応じて変更された予想所得に対する情報を提供することができる方法及びその装置を提供することにある。
【０００９】
本発明が解決しようとする別の技術的課題は、求人者、及び求人者が登録した作業別の特性に符合する作業能力を保有している求職者に自動マッチングサービスを提供する方法及びその装置を提供することにある。
【００１０】
本発明が解決しようとする別の技術的課題は、求職者に作業能力のアップグレード機会を提供し、求職者のアップグレードされた作業能力をサービス提供者が認証する方法を提供することにある。
【００１１】
本発明が解決しようとする別の技術的課題は、求職者が設定した目標所得を達成するための自動マッチングサービスを提供することにある。
【００１２】
本発明の技術的課題は上述した技術的課題に限定されず、上述していない別の技術的課題は以降の記載から本発明の技術分野における通常の技術者に明確に理解できるだろう。
【課題を解決するための手段】
【００１３】
上記の技術的課題を解決するための本発明の一実施例に係るフリーランス労働者の予想所得情報提供方法は、求職者端末から求職者のアカウント情報を受信する段階と、一連の作業で構成された第１プロジェクトに対する作業情報、及び一連の作業で構成された第２プロジェクトに対する作業情報に基づいて、前記求職者の所定期間の予想所得を演算する段階と、前記演算された予想所得に対する情報を前記求職者端末へ送信する段階とを含んでなり、前記作業情報は、各作業別に要求される作業能力情報、各作業別の作業期間情報、求人時期情報、及び各作業別の賃金情報を含み、前記求職者の所定期間の予想所得を演算する段階は、前記第１プロジェクトの作業の中から、前記求職者の作業能力情報にマッチングする一部の作業を選定する段階と、前記第２プロジェクトの作業の中から、前記求職者の作業能力情報にマッチングする一部の作業を選定する段階と、前記選定された作業で構成された少なくとも一つの作業組み合わせに対する予想所得を演算する段階とを含む。
【００１４】
上記の技術的課題を解決するための本発明の一実施例に係るフリーランス労働者の予想所得情報提供方法は、求職者端末から前記求職者の目標所得を受信する段階と、一連の作業で構成された第１プロジェクトに対する作業情報、及び一連の作業で構成された第２プロジェクトに対する作業情報に基づいて、前記求職者の目標所得に対応する少なくとも一つの作業組み合わせを生成する段階と、前記生成された作業組み合わせに対する情報を前記求職者端末に送信する段階とを含み、前記作業情報は、各作業別に要求される作業能力情報、各作業別の作業期間情報、求人時期情報、及び各作業別の賃金情報を含み、前記少なくとも一つの作業組み合わせを生成する段階は、前記第１プロジェクトの作業の中から、前記求職者の作業能力情報にマッチングする一部の作業を選定する段階と、前記第２プロジェクトの作業の中から、前記求職者の作業能力情報にマッチングする一部の作業を選定する段階と、前記求職者の目標所得に対応するように、前記選定された作業を組み合わせる段階とを含む。
【発明の効果】
【００１５】
本発明によれば、各求職者に自分のアカウント情報上の作業能力情報に基づいて得ることが可能な予想所得を提供することができるという効果がある。
【００１６】
また、農業、水産業などの１次産業の雇用、及び建設業、運送業などの２次、３次産業の雇用など、ＩＴを通じた情報提供には多少劣るが、競争力のある収入を提供することが可能な業種に、インターネットの使用に慣れている若い労働力が多数流入しうる環境を提供するという効果がある。
【００１７】
また、一定レベルの作業能力が要求される作業の実行を希望する求職者に、該当作業能力の保有のための教育課程を提供し、前記教育課程の履修が完了すると、サービス供給者が求職者の作業能力を認証することにより、当該作業能力の保有が認証された求職者を求人者にマッチングさせることができるという効果がある。
【００１８】
また、求職者に、作業能力の向上に応じて新たに参加が可能となる作業およびこれに伴う予想所得情報を提供することにより、求職者の作業能力の向上意志を高めることができるという効果がある。
【００１９】
また、求人者に、最近求人者の作業に参加した経験のある求職者、求人者の作業と同一または類似の作業に参加した経験のある求職者、または求人者の作業に対する教育課程を修了して求人者の作業に対する理解度が高い求職者を提供することにより、信頼性及び作業能力が担保される求職者を求人者に供給することができるという効果がある。
【図面の簡単な説明】
【００２０】
【図１】本発明の一実施例に係るフリーランス労働者の予想所得情報提供システムの構成図である。
【図２】本発明の他の実施例に係るフリーランス労働者の予想所得情報提供サービスサーバのブロック図である。
【図３】本発明の別の実施例に係るフリーランス労働者の予想所得情報提供方法のフローチャートである。
【図４】本発明のいくつかの実施例において、予想所得情報の演算のために参照される作業情報の例示図である。
【図５】図３に示されたフローチャートの一部の動作をより詳細に説明するためのフローチャートである。
【図６】本発明のいくつかの実施例で参照される、複数の作業で構成されるそれぞれのプロジェクトを説明するための例示図である。
【図７】本発明のいくつかの実施例において求職者端末に提供できる、ＵＩの例示である。
【図８】本発明のいくつかの実施例において、教育課程の提供により求職者の作業能力がアップデートされることを説明するためのフローチャートである。
【図９】本発明の別の実施例に係る目標所得に対応する作業組み合わせ生成方法のフローチャートである。
【発明を実施するための形態】
【００２１】
以下、添付図面を参照して本発明の好適な実施例を詳細に説明する。
本発明の利点、特徴、及びそれらの達成方法は、添付図面と一緒に詳細に後述されている実施例を参照すると明確になるだろう。しかし、本発明は、以下で開示される実施例に限定されるものではなく、互いに異なる多様な形態に実現できる。但し、本実施例は、本発明の開示を完全たるものとし、本発明の属する技術分野における通常の知識を有する者に発明の範疇を完全に知らせるために提供されるものである。本発明は請求項の範疇のみによって定義される。明細書全体にわたって、同じ参照符号は同じ構成要素を示す。
【００２２】
他の定義がない限り、本明細書で使用されるすべての用語（技術及び科学的用語を含む）は、本発明の属する技術分野における通常の知識を有する者に共通して理解できる意味で使用できる。また、一般に使用される辞典に定義されている用語は、明白に特に定義されていない限り、理想的または過度に解釈されない。本明細書で使用された用語は、実施例を説明するためのものであり、本発明を限定するものではない。本明細書において、単数形は、特別に言及しない限り、複数形も含む。
【００２３】
本明細書において、フリーランス労働者は、毎月一定の給与が提供される正規職／契約職または時間あたり一定の給与が提供される時間制雇用の労働者ではなく、作業者求人公告から所望の作業を選択して収入を得る労働者を意味する。したがって、収入が不規則なことがフリーランス労働者の特徴である。本発明において、前記フリーランス労働者は、農業、水産業、林業、畜産業、園芸業などの１次産業の作業を行う労働者に限定されない。農産物加工業、農産物流通業、食品製造業、農村観光業などの２次、３次産業の作業を行う労働者も、前記フリーランス労働者のカテゴリーに含まれ得る。
【００２４】
一方、このようなフリーランス労働者が行う作業は、特定の業種に限定されない。例えば、本発明のフリーランス労働者は、都市地域で建設業、広告業、運送業、育児／教育業などの作業を行うこともできる。すなわち、上述した業種の作業だけでなく、求人公告から作業を選択して当該作業の労働に参加する労働者であれば、本発明のフリーランス労働者のカテゴリーに含まれ得る。
【００２５】
本明細書において、求職者のアカウント情報は、サービスサーバに接続するための求職者のＩＤ、パスワード及びニックネームなどの識別情報と、自己紹介などのプロフィール情報を含むことができる。前記サービスサーバは、本発明のフリーランス労働者の予想所得情報提供方法を提供するコンピューティングデバイスを指す。
【００２６】
また、前記アカウント情報は、求職者の基本情報を含むことができる。ここで、前記基本情報は、求職者の年齢、性別、身長などの基本的な労働条件についての情報であり得る。前記基本情報は、サービス利用者（求職者）によって直接入力され、編集されることも可能である。前記アカウント情報は、求職者の入力が必須に要求される必須入力項目と、選択的な入力が許容される選択入力項目に区分できる。
【００２７】
本明細書において、求職者の作業能力情報は前記基本情報を含むことができる。また、求職者の作業能力情報は、前記基本情報のほか、求職者の作業能力を評価する上で利用可能な様々な情報を含む。作業能力情報は、前記様々な情報を総合して数値化された求職者等級情報を含むことができる。
【００２８】
また、求職者の作業能力情報は、求職者、及び前記求職者が求人者の過去（または最近）マッチング履歴情報を含むことができる。また、求職者の作業能力情報は、このようなマッチング履歴に応じて前記求人者が開設した過去（または最近）の作業に求職者が参加した経験の有無についての情報を含むことができる。
【００２９】
本明細書において、プロジェクトは、一連の作業で構成される一つの事業単位である。前記プロジェクトは、例えば、農作物栽培、水産物養殖、建設現場での労働などを含む。また、例えば、前記プロジェクトが稲栽培である場合には、稲栽培プロジェクトを構成する一連の作業は、肥料撒き、田植え、収穫などの作業であり得る。また、前記プロジェクトが育児教育である場合には、育児教育プロジェクトは、年間単位の段階別未就学児の学習指導または各学期別の放課後の子供学習指導などの一連の作業で構成される。
【００３０】
以下、図１及び図２を参照して本発明の一実施例に係る予想所得情報提供システムの構成及び動作について説明する。
【００３１】
図１を参照すると、前記予想所得情報提供システムは、前記予想所得情報提供システムが実現するサービスを提供するサービスサーバ１００、求職者端末２００、及び求人者端末３００を含む。サービスサーバ１００は、求人者端末３００から求人対象作業に対する情報を受信し、求職者端末２００から求職者のアカウント情報を受信することができる。前記求人対象作業に対する情報は、前記作業がどのプロジェクトに属するかについての情報を含むことができる。サービスサーバ１００は、前記作業情報および前記アカウント情報に基づいて、求職者に一定期間の予想所得情報を提供することができる。
【００３２】
求人者端末３００は、一つのプロジェクト（以下、「第１プロジェクト」という。）に対する作業情報をサービスサーバ１００へ送信し、求人公告を登録することができる。また、求人者端末３００は、他のプロジェクト（以下、「第２プロジェクト」という。）に対する作業情報を、求人公告を登録するためにサービスサーバ１００に送信することもできる。ここで、第１プロジェクトと第２プロジェクトとは互いに異なるプロジェクトである。また、第１プロジェクトと第２プロジェクトは、互いに異なる求人者によって開設されたプロジェクトであり得る。
【００３３】
サービスサーバ１００は、求職者端末２００から前記求職者のアカウント情報を受信し、一連の作業で構成された第１プロジェクトに対する作業情報、及び一連の作業で構成された第２プロジェクトに対する作業情報に基づいて、前記求職者の所定期間の予想所得を演算し、前記演算された予想所得に対する情報を前記求職者端末２００に送信することができる。
【００３４】
一方、前記作業情報は、第１プロジェクト及び第２プロジェクトを構成する各作業に対する情報を意味する。前記作業情報は、各作業別に要求される作業能力情報、各作業別の作業期間情報、求人時期情報、及び各作業別の賃金情報を含む。このとき、サービスサーバ１００は、前記第１プロジェクトの作業の中から、前記求職者の作業能力情報にマッチングする一部の作業を選定し、前記第２プロジェクトの作業の中から、前記求職者の作業能力情報にマッチングする一部の作業を選定し、前記選定された作業で構成された少なくとも一つの作業組み合わせに対する予想所得を演算することができる。
【００３５】
すなわち、サービスサーバ１００は、複数のプロジェクトの作業を自由に組み合わせて、求職者の一連の参加可能作業組み合わせを生成し、前記作業組み合わせによる予想所得を演算することができる。
【００３６】
また、サービスサーバ１００は、求職者端末２００から求職者の予想所得を提供する作業への参加申請を受信し、求人者端末３００から求人者の該当求職者の作業参加に対して許可する応答を受信する過程を含むマッチングサービスを求人者と求職者に提供することができる。この過程で、サービスサーバ１００は上述した求職者の作業能力情報を活用することもできる。
【００３７】
また、サービスサーバ１００は、求職者端末２００に作業に対する教育課程情報および／または教育コンテンツを提供することができる。また、サービスサーバ１００は、コンサルティング情報、作業環境に関連した宿泊情報、人力輸送サービス、食事・間食提供などの給食サービス、求職者を作業場所に輸送する人力輸送サービス、及び作業に必要な各種自材を供給するサービスなどを提供するための情報を求職者端末２００及び求人者端末３００の少なくとも一つにさらに提供することもできる。また、ビジネスモデルの拡張に応じて、サービスサーバ１００は上述した構成以外のサービスを提供するための構成をさらに含むこともできる。
【００３８】
以下、図２を参照して本発明の他の実施例に係るサービスサーバ１００の構成及び動作についてより具体的に説明する。サービスサーバ１００は、インターネットに接続されたコンピューティングデバイスであって、送受信モジュール１０、求職者アカウント情報ＤＢ２０、作業情報ＤＢ３０、及び制御モジュール４０を含むことができる。
【００３９】
送受信モジュール１０は、有無線インターネット通信を支援し、外部機器（求職者端末２００及び求人者端末３００）から作業情報、求職者のアカウント情報及び作業能力情報などの上述した各種情報を受信することができる。
【００４０】
求職者アカウント情報ＤＢ（Ｄａｔａ  Ｂａｓｅ）２０は、前記受信した情報のうち、求職者のアカウント情報を格納することができる。作業情報ＤＢ３０は、求人者から受信したプロジェクトに対する作業情報を格納することができる。制御モジュール４０は作業能力情報を格納することができる。または、作業能力情報は、制御モジュール４０に連動する作業能力情報ＤＢ４１に格納できる。
【００４１】
前記制御モジュール４０は、サービスサーバ１００の各構成の全般的な動作を制御する。制御モジュール４０は、ＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｏｒ  Ｕｎｉｔ）、ＭＣＵ（Ｍｉｃｒｏ  Ｃｏｎｔｒｏｌｌｅｒ  Ｕｎｉｔ）、または本発明の技術分野でよく知られている任意の形態のプロセッサを含んで構成できる。
【００４２】
また、図１のシステムを実現するために、サービスサーバ１００は、様々な構成をさらに含むことができる。制御モジュール４０に連動する構成として、作業能力情報ＤＢ４１のほか、求職者の予想所得を演算する演算処理モジュール４２、作業情報および作業能力情報などの情報に対するアップデートを行うアップデートモジュール４３などが例示されている。
【００４３】
サービスサーバ１００に含まれ得る構成に対する別の例として、教育情報提供モジュール４４が示されている。教育情報提供モジュール４４は、求職者の作業能力アップグレードのために作業に対する教育課程情報を制御モジュール４０に提供することができる。サービスサーバ１００は、前記教育課程情報を求職者端末２００に送信することができる。
【００４４】
また、教育情報提供モジュール４４は、作業に対するオンライン教育コンテンツを制御モジュール４０に提供することもできる。求職者は、求職者端末２００を介してサービスサーバ１００からオンライン教育コンテンツを受信することにより、作業に対する教育課程をオンラインで修了することができる。
【００４５】
また、サービスサーバ１００は、作業実行結果に基づいて、求職者に作業能力向上のためのコンサルティングを提供するか、求人者に作業効率性向上のためのコンサルティングを提供するためのコンサルティング提供モジュール４５を含むことができる。
【００４６】
コンサルティング提供モジュール４５は、例えば、作業が終了した場合に、求職者、求人者それぞれからアンケート調査を行うための情報を生成することができる。コンサルティング提供モジュール４５は、求職者端末２００または求人者端末３００から前記アンケート調査に対する結果が受信されると、これに基づいてコンサルティング情報（コンサルティングレポート）を生成することができる。
【００４７】
書類／認証生成モジュール４６は、求人者と求職者がマッチングして求職者の作業申請及び求人者の作業参加許可が完了すると、雇用関係を証明する書類が生成できる。書類／認証生成モジュール４６は、求職者の作業能力アップグレードのための教育課程の修了か否かに対する認証も行うことができる。このとき、求職者の作業能力情報は、本発明のサービスサーバ１００が提供する教育を求職者が修了したか否かについての情報を含むことができる。制御モジュール４０は、前記教育課程の修了か否かに対する認証が前記書類／認証生成モジュール４６を介して生成されると、求職者の作業能力情報をアップグレードさせることができる。
【００４８】
図２のサービスサーバ１００の構成として示されてはいないが、図１についての説明で上述したように、各種サービスを提供するための情報をさらに提供する場合、このために、サービスサーバ１００は図示していないモジュールをさらに含むことができる。
【００４９】
たとえば、サービスサーバ１００は、該当作業の実行結果に応じて、求人者が求職者に賃金を支給する場合を仮定する。この場合、サービスサーバ１００は、求人者の信用と担保力に基づいて、与信サービスを提供することができるようにするファイナンスサービス提供モジュールをさらに含むことができる。ファイナンスサービス提供モジュールは、求人者及び求職者の口座情報や各種金融サービスをサポートするための公認認証書などを格納することができる。求人者の要請がある場合、サービスサーバ１００は、求職者の口座に求人者の代わりに賃金を支給することもできる。
【００５０】
この場合、ファイナンスサービス提供モジュールは、求人者端末３００から受信されるかサービスサーバ１００の各種モジュールに格納された情報を総合して、求人者の信用スコアを決定することができる。このため、サービスサーバ１００は、求人者が開設した作業の進行現況、作業が行われる作業場所及び作業装備などの担保現況、サービスサーバ１００を通じた求人／求職マッチング履歴、作業開設回数及び期間など、求人者の事業現況に対する情報を格納することができる。
【００５１】
制御モジュール４０は、このような信用スコアに基づいて、ファイナンスサービスモジュールを介して求人者に提供される与信サービスの提供金額範囲及び期間を決定することができる。
【００５２】
前記作業能力情報ＤＢ４１、演算処理モジュール４２、アップデートモジュール４３、教育情報提供モジュール４４、コンサルティング提供モジュール４５、書類／認証生成モジュール４６は、説明の便宜上、別個の構成要素として図示したが、これは例示に過ぎない。すなわち、前記モジュールは他の構成と結合された構成として存在することができ、サービスサーバ１００の動作を行うために必要な如何なる単位でも存在することができる。特に、これらのモジュールは制御モジュール４０に含まれることもある。
【００５３】
以下、図１で参照されたシステムと図２に参照されたサービスサーバ１００に対する説明を基に、図３を参照して、本発明の別の実施例に係るフリーランス労働者の予想所得情報提供方法について説明する。また、作業情報についての説明のために、図４を参照する。理解の便宜を図るために、農業分野のフリーランス労働者に対する予想所得情報提供方法を例示して説明する。
【００５４】
本実施例に係るフリーランス労働者の予想所得情報提供方法は、コンピューティングデバイスによって実行できる。例えば、図１に示されたサービスサーバ１００によって実行できる。以下、本実施例の説明において、一部の動作の主語が省略できることに留意する。主語が省略された動作の主体は、例えば、サービスサーバ１００であり得る。
【００５５】
図３を参照すると、サービスサーバ１００は、求人者端末３００から作業情報を受信し、これを作業情報ＤＢ３０に格納する（Ｓ３１０）。また、サービスサーバ１００は、求職者端末２００から求職者のアカウント情報を受信する（Ｓ３２０）。前記段階Ｓ３１０と段階Ｓ３２０は、順序を変えてもよい。
【００５６】
このとき、作業情報は、少なくとも一つのプロジェクトに対する作業情報を含むことができる。例えば、前記作業情報の場合、プロジェクトは稲栽培、作業は田植えなどの情報を含むことができる。また、作業情報は、該当作業の作業時期、場所などの情報を含むこともできる。このような作業情報は、サービス提供者またはユーザー（求人者、求職者）の設定に応じてさまざまな基準に分類されて提供できる。
【００５７】
図４は梨作物に対する作業情報の例示である。図４を参照すると、作業情報は、複数の作業がグループ化された形で提供されることも可能である。すなわち、栽培及び出荷のために複数の作業を行なわなければならない作物に対し、各作業別のスケジュール情報を含めて、複数の作業がグループ化された作業情報が求人者端末３００から受信されたり求職者端末２００に送信されたりすることができる。
【００５８】
また、図４に示すように、前記作業情報は、各作業に対して要求される作業能力情報、作業別の需要時期情報、各作業別の平均日当、及び各作業の求人競争率情報が含まれ得る。特に、図４において、各作業に対して要求される作業能力情報の例示として、各作業の実行のために要求される等級情報が示されている。
【００５９】
ここで、作業別の要求等級は作業の種類によるカテゴリーに分類できる。図４において、作業を種類別にカテゴリーＡからカテゴリーＧまで分類した表が例として示されている。制御モジュール４０は、同様の作業能力が要求される作業を一つのカテゴリーに分類することができる。
【００６０】
図４を参照すると、剪定作業、花芽整理及び短枝整理の場合、該当作業を行う上で要求される等級情報は全て相違するが、全て同一のカテゴリーＡに属する。
【００６１】
たとえば、求職者が剪定作業を行うためにカテゴリーＡの作業に対する５等級の作業能力を備えている場合、制御モジュール４０は、同じカテゴリーに属する花芽整理、短枝整理作業に対しても求職者が５等級の作業能力を保有していると判断することができる。
【００６２】
一方、図４には示されていないが、前記作業情報には、各作業別の求人需要量及び賃金情報の統計値がさらに含まれ得る。また、前記作業情報は、さらに細分化された等級情報を要求することができる。このため、前記作業情報は、前記作業情報上の各作業に対する難易度及び熟練度情報をさらに含むこともできる。前記各作業情報は、既に指定されたマッチングロジックを経て数値化することもできる。これにより、作業情報は、求職者の作業能力情報が、やはり数値化された求職者の等級情報に対応できる。上述した、梨の剪定作業の作業情報によると、剪定作業に対する５等級以上の作業能力が要求されるものと設定されている。この場合には、サービスサーバ１００は、求職者のうち、５等級以上の剪定作業能力を持つ求職者に限って求人／求職マッチングを行うことができるだろう。
【００６３】
制御モジュール４０は、求職者端末２００から受信した求職者のアカウント情報に連動した作業能力情報を作業能力情報ＤＢ４１から取得することができる。制御モジュール４０は、取得した作業能力情報に対応する作業情報を作業情報ＤＢ３０で照会する。
【００６４】
この時、前記照会された作業情報は、少なくとも一つの作業に対する情報であり得る。すなわち、制御モジュール４０は、第１及び第２プロジェクト（すなわち、複数のプロジェクト）にそれぞれ含まれている作業に対する複数の作業情報を照会することもできる。制御モジュール４０は、前記照会結果に基づく作業情報を求職者端末２００に送信することもできる。
【００６５】
一方、作業情報の変更事項がある場合、例えば、気象状況や天災地変などの理由で作業ができない場合、または新しい作業が登録されたか新しい求人者から作業情報が受信された場合には、サービスサーバ１００は、前記変更された作業情報を求職者端末２００に送信することができる。
【００６６】
制御モジュール４０は、演算処理モジュール４２を利用して、一連の作業で構成された第１プロジェクトに対する作業情報、一連の作業で構成された第２プロジェクトに対する作業情報に基づいて、求職者の所定期間の予想所得を演算することができる（Ｓ３３０）。サービスサーバ１００は、前記演算された予想所得に対する情報を求職者端末２００に送信する（Ｓ３４０）。
【００６７】
以下、図５を参照して、予想所得を演算する段階（Ｓ３３０）を具体的に説明する。図５を参照すると、求職者の予想所得を演算する段階（Ｓ３３０）は、制御モジュール４０が、第１プロジェクトの作業の中から、作業能力情報ＤＢ４１から取得した求職者の作業能力情報にマッチングする一部の作業を選定する段階（Ｓ５１０）を含む。また、制御モジュール４０は、第２プロジェクトの作業の中から、前記求職者の作業能力情報にマッチングする一部の作業を選定することができる（Ｓ５２０）。ここで、作業情報は、各作業別に要求される作業能力情報、各作業別の作業期間情報、求人時期情報、及び各作業別の賃金情報を含むことができる。
【００６８】
一方、求職者の作業能力情報は求職者の等級を一つの項目として含むことができ、求職者の等級は作業能力情報ＤＢ４１に格納できる。前記求職者の等級は、制御モジュール４０によって作業能力情報の全ての項目が反映されて求職者の作業能力が数値化された結果である。一般的に、任意の作業を行う上で該当作業が要求する求職者の等級が高ければ高いほど、支給される賃金レベルも上がるだろうし、結果的に予想される所得も高まるだろう。したがって、各作業に対する求職者の等級を導入することにより、求職者の等級アップグレード欲求を高めることができるという効果がある。
【００６９】
制御モジュール４０は、求職者の作業能力情報に基づいて選定された作業で構成された少なくとも一つの作業組み合わせに対する予想所得を演算処理モジュール４２を介して演算することができる（Ｓ５３０）。
【００７０】
制御モジュール４０は、演算された予想所得に対する情報を前記求職者端末に送信するとき（Ｓ３４０）、少なくとも一つの作業組み合わせのうち、前記予想所得が最も高い作業組み合わせに対する情報を前記求職者端末に送信する段階を含むことができる。
【００７１】
段階Ｓ５３０で、所定期間が演算要素として作用する。前記所定期間は、１年、６ヶ月、四半期、１ヶ月などの作業に対する賃金支給基準よりも長期間であることが好ましい。例えば、各作業に対する賃金は日当の形で支給できるが、本発明は、特定の能力を持つ求職者が、中長期的な期間（例えば、１年、３年などの期間）の間、持続的にどの程度の所得を期待することができるかについての情報を提示する。このような予想所得情報は、帰農者、都市の失業者、パートタイム労働者などの勤労希望者が農業、水産業などの様々な分野で質の高い労働力を提供するように意欲を高めることができるだろう。このような持続可能な予想所得の提供は、求職者が作業能力に応じた賃金上昇を期待するようにすることができるので、当該分野に対する求職者の自己啓発の動機付与及び予想所得に応じた人生設計を可能にする。ただし、前記所定期間は、例えば、求職者が選択した少なくとも一つの作業が行われる期間が合計３ヶ月のように賃金支給基準（月給）に符合する場合には、該当作業実行期間と一致することもできる。以下、表１に具体的な例示によって求職者の所定期間の予想所得演算過程を説明する。例示では、求職者の作業能力情報の代わりに、求職者の作業能力情報を数値化した等級情報が利用された。
【００７２】
例えば、第１作業に対する１０等級の作業能力を持っており、第２作業に対する５等級の作業能力を持っており、第４作業に対する７等級の作業能力を持っている求職者がいると仮定しよう。また、特定の作業に対する前記作業情報が次の表１のとおり構成されていると仮定しよう。
【００７３】
【表１】
2018514883.tif 000003
【００７４】
前記求職者は、第１作業の要求等級を持っているので、１〜２月の間、毎月３００万ウォンの所得を期待することができる（／２０００００＊３０＊０．５）。
【００７５】
前記求職者は、第２作業の要求等級を持っていないので、３〜４月の間、所得を期待することができない。
【００７６】
前記求職者は、第３作業の要求等級を持っていないので、５〜６月の間、所得を期待することができない。
【００７７】
前記求職者は、第４作業の要求等級を持っているので、７〜９月の間、毎月１５０万ウォンの所得を期待することができる（／１０００００＊３０＊０．５）。
【００７８】
前記求職者は、第５作業の要求等級を持っていないので、１０〜１１月の間、所得を期待することができない。
【００７９】
その結果、前記求職者は１０５０万ウォンの年所得を期待することができるだろう（３００万ウォン＊２＋１５０万ウォン＊３）。
【００８０】
一方、段階Ｓ５３０で、第１プロジェクトと第２プロジェクトにそれぞれ含まれる互いに異なる作業を組み合わせる際に、制御モジュール４０は、各作業の作業情報上の各作業別求人時期を利用することができる。また、制御モジュール４０は、求職者の作業能力情報、及び各作業の作業情報に基づいて複数の組み合わせも生成することができる。
【００８１】
以下、図６を参照して、互いに異なるプロジェクトを構成する一連の作業が組み合わせられる場合を例として説明する。図６において、プロジェクトの例示として、梨栽培６１０、リンゴ栽培６２０及び柿栽培６３０が示されている。図６の（ａ）を参照すると、倍農作業６１０はＡ１、Ａ２、Ａ３及びＡ４の作業から構成され、リンゴ栽培６２０はＢ１、Ｂ２、Ｂ３およびＢ４の作業から構成される。また、柿栽培６３０はＣ１、Ｃ２、Ｃ３、Ｃ４及びＣ５の作業から構成されると仮定する。
【００８２】
サービスサーバ１００は、求職者端末２００に図６の（ａ）のようなタイムスロット６００及びプロジェクト別に作業に対する情報を提供することができる。各作業が示されている領域の大きさは、各作業が行われる期間を意味し、各作業が示されている領域は、該当する作業の作業情報を提供するリンク情報を含むことができる。これにより、求職者端末２００から、各プロジェクト別の作業に対して求職者から一部を指定する入力が受信されると、サービスサーバ１００は、指定された作業に対する作業情報をポップアップ形式で表示するＵＩを提供することができる。このとき、表示される作業情報は、指定された作業に対する賃金情報を含むことができる。
【００８３】
また、サービスサーバ１００は、各作業別の色を異ならせて表示するＵＩを求職者端末２００に提供することもできる。たとえば、サービスサーバ１００は、各作業が要求する求職者の作業能力または賃金情報別に互いに異なる色で各作業を表示する情報を求職者端末２００に提供することもできる。
【００８４】
タイムスロット６００は求職者のスケジュールを意味する。このとき、ｔ０〜ｔ１、ｔ１〜ｔ２などの時間間隔は、各プロジェクトの期間に基づいて制御モジュール４０によって定められた間隔で提供できる。または、前記間隔は求職者の設定によって定められてもよい。
【００８５】
制御モジュール４０は、それぞれのプロジェクト６１０、６２０、６３０に含まれている作業のうち、求職者の作業能力情報にマッチングする作業を選定することができる。図６の（ｂ）を参照すると、制御モジュール４０は、求職者の作業能力と各作業の作業情報とをマッチングさせて複数の作業組み合わせを生成することができる。
【００８６】
作業組み合わせの例示として、作業組み合わせ６４０は、制御モジュール４０によってＡ１、Ｂ２およびＣ５の作業で構成される。また、作業組み合わせ６５０はＡ１、Ｃ４及びＡ４の作業で構成され、作業組み合わせ６６０はＢ１及びＣ４の作業で構成される。作業組み合わせ６７０はＡ１、Ｃ４及びＣ５の作業で構成される。作業組み合わせのうち、作業組み合わせ６６０は作業期間の異なる作業組み合わせに比べて短いことが分かる。この場合、ｔ４時点以前に、求職者は作業実行を終了することができる。
【００８７】
制御モジュール４０は、このような作業組み合わせを構成する作業の賃金情報を合算することにより、求職者の所定期間の予想所得を計算することができる。また、制御モジュール４０は、前記作業組み合わせ６４０、６５０、６６０、６７０のうち、予想所得が最も高い作業組み合わせを決定することもできる。
【００８８】
再び図４を参照すると、前記予想所得演算結果は、サービスサーバ１００から求職者端末に送信され（Ｓ３４０）、前記求職者端末２００に表示され得る。また、段階Ｓ３４０で、サービスサーバ１００は、前記少なくとも一つの作業組み合わせのうち、前記予想所得が最も高い作業組み合わせに対する情報を、前記求職者端末２００に送信することもできる。
【００８９】
以上で、段階Ｓ３３０で予想所得が自動的に演算される場合を説明したが、本発明の他の実施例によれば、求職者が求職者端末２００で少なくとも一つの作業組み合わせを選択して、選択された作業組み合わせに対する予想所得を演算することも可能である。サービスサーバ１００が求職者端末２００から作業能力にマッチングする作業で構成された少なくとも一つの作業組み合わせに対する選択を受信すると、制御モジュール４０は、選択された少なくとも一つの作業組み合わせに対する求職者の予想所得を演算することができる。
【００９０】
例えば、図６の（ｂ）に示されている作業組み合わせのように求職者の作業能力に対応する各プロジェクト別の作業が制御モジュール４０によって組み合わせられて求職者端末２００に送信できる。この場合、求職者は、複数の組み合わせの中からいずれかを選択することができる。
【００９１】
さらに、求職者端末２００に図６の（ａ）のような求職者のスケジュールに対するタイムスロット及び各プロジェクトが提供された場合、求職者は、各作業のグラフにリンクされた作業情報を参照して、自分のスケジュールに合わせて自ら作業組み合わせを構成することもできる。例えば、制御モジュール４０は、求職者の作業時間表を提供するＵＩを提供することができる。この場合、求職者は、タイムスロット６００上の時間間隔の断片を選択し、選択された断片に対するドラッグ入力によって所望のプロジェクトの作業上に前記断片を指定することができる。このとき、求職者の作業能力情報が、指定された作業が要求する作業情報とマッチングする場合、制御モジュール４０は指定された作業を含む求職者の時間表を生成することもできる。
【００９２】
また、段階Ｓ３４０は、少なくとも一つの作業組み合わせのうち、求職者の設定に対応する作業組み合わせに対する情報を、前記求職者端末に送信する段階を含むことができる。すなわち、サービスサーバ１００は、図６の（ｂ）で示されている作業組み合わせのうち、求職者の設定に対応する作業組み合わせを求職者端末２００に送信することができる。これについて、図７に示されているＵＩを参照して説明する。
【００９３】
図７を参照すると、画面７１０は、求職者端末２００に送信された求職者の設定に対する例示である。求職者の設定事項として、業種及び地域設定メニュー、作業の最小日当を指定するメニュー、求職者の選好作業時間、求職者の作業期間、仮想業務能力を反映するか否かを決定するメニュー、作業組み合わせにおける各作業地域間の距離条件付加メニュー、及びこのような設定による年棒計算演算を指示するメニュー７２０が例示として示されている。
【００９４】
すなわち、求職者の設定によって、制御モジュール４０は、プロジェクトが選択されるようにすることができ、求職者が作業を希望する地域情報が選択されるようにすることができる。また、制御モジュール４０は、求職者の設定によって、作業組み合わせを構成する各作業の日当レベルが選択されるようにすることができ、作業期間が選択されるようにすることもできる。制御モジュール４０は、求職者の作業能力情報に対応する作業情報を持つ作業の中から、前記求職者の選択事項にマッチングする作業情報を持つ作業が選定されるように制御することができる。
【００９５】
このような求職者の設定を入力として受けるための画面７１０は、図３に示されている各段階のうち、予想所得を演算する段階（Ｓ３３０）の前に求職者端末２００に提供できる。
【００９６】
ここで、各作業地域間の距離条件付加メニューは、求職者が選定される各作業の作業地域間に対する距離条件を入力するためのメニューである。たとえば、求職者が連続的に互いに異なるプロジェクトに属する作業を行う場合を仮定する。このとき、求職者が移動の便宜のために、半径３ｋｍ以内と作業地域間の距離条件を付加した場合、制御モジュール４０は、半径３ｋｍ以内の地域で行われる複数のプロジェクトに含まれる作業を選定し、これに基づいて作業組み合わせを生成することができる。
【００９７】
ここで、仮想業務能力とは、特定の作業に対して現在求職者の作業能力よりも高いレベルの作業能力を意味する。制御モジュール４０は、作業期間を含む求職者の設定に基づいて作業組み合わせを生成するにあたり、求職者が仕事の能力を向上させた後、作業を行うことができるようにするスケジューリングを提供することができる。
【００９８】
これに対し、再び図６の（ｂ）を参照して説明する。たとえば、作業Ｂ１及びＣ４に対する求職者の作業能力が等級３であると仮定する。また、Ｂ１の作業情報上で要求される作業能力は等級３であり、Ｃ４の作業情報上で要求される作業能力は等級４であると仮定する。このような場合、作業組み合わせ６６０は、求職者の作業能力が作業Ｃ４を行うには足りないため、制御モジュール４０によって生成できない。
【００９９】
このような状況で、求職者が画面７１０で仮想業務能力反映設定を入力すると、制御モジュール４０は、求職者が仕事Ｂ１を行った後、作業Ｃ４を開始する前に、作業Ｃ４に対する作業能力をアップグレードさせることができると判断することができる。これにより、制御モジュール４０は、作業Ｂ１のほか、求職者の作業能力がアップグレードされる場合に、このようなアップグレードされる作業能力にマッチングが期待される作業Ｃ４を選定して作業組み合わせを生成することができる。
【０１００】
また、サービスサーバ１００は、作業組み合わせ６６０に対する情報を求職者端末２００に送信することができる。また、この場合、制御モジュール４０は、求職者の作業能力アップグレードのための教育課程スケジューリング情報を求職者端末２００に送信することができる。すなわち、制御モジュール４０は、作業Ｂ１と作業Ｃ４との間の期間に作業Ｃ４実行の条件となる、教育課程に対する情報を求職者端末２００に送信することができる。
【０１０１】
特に、制御モジュール４０は、前記教育課程が作業Ｂ１と作業Ｃ４との間に行われて求職者がＣ４作業の開始前に教育課程を修了することができるようにスケジューリングすることができ、このようなスケジューリング情報を求職者端末２００に送信することができる。
【０１０２】
求職者端末２００に送信される作業組み合わせ情報の例示として、画面７３０が示されている。画面７３０は、作業組み合わせ７５０による作業スケジュール情報、前記作業スケジュール情報に連動する地図情報７４０及び予想所得情報を含むことができる。また、画面７３０は各種メニュー７６０を含むことができる。また、作業組み合わせ情報は、画面７１０で仮想業務能力反映が設定されている場合、求職者の仮想作業能力情報に基づく作業組み合わせに対する情報を含むこともできる。
【０１０３】
画面７３０は求職者の設定に対応する作業組み合わせ７５０のスケジュールを提供し、地図情報７４０はスケジュールに基づいて求職者の移動経路を表示することができる。地図情報７４０において作業地域Ａ、Ｂ、Ｃを経由する移動経路の例が示されている。このとき、前記移動経路は、移動経路による移動所要時間に対する情報を含むことができる。前記作業地域Ａ、Ｂ、Ｃに対する情報は、求職者がそれぞれの作業地域に接近するための交通情報と作業地域近くの宿泊情報、作業期間の主要居住地域に対する情報などを含むこともできる。
【０１０４】
また、制御モジュール４０は作業組み合わせ７５０の予想所得を提供することができる。また、メニュー７６０は、前記組み合わせのほか、求職者の設定に符合する他の組み合わせの表示、最大年俸の組み合わせといったリンク情報を提供することができ、求職者の設定を変更するためのリンク情報も含むことができる。
【０１０５】
これにより、求職者が作業組み合わせを選択すると、画面７７０で表示されているように、業務確定公知、求人者情報の表示、契約書の生成、注意事項などの様々な諸般事項へのリンク連結が提供できる。
【０１０６】
図８は本発明の他の実施例に係る求職者に教育課程を提供する過程を説明するためのフローチャートである。
【０１０７】
以下、制御モジュール４０は、アップデートモジュール４３を用いて前記求職者の作業能力情報をアップデートする過程を説明する。制御モジュール４０は、求職者の作業能力情報に変更事項がある場合、前記求職者の作業能力情報をアップデートすることができる。このような作業能力情報のアップデートは、図３及び図５を構成するいずれの段階でも起こることができる。
【０１０８】
図８を参照して、求職者の教育課程修了認証による作業能力情報のアップデート過程を説明する。求職者は、本発明の他の実施例に係るサービスサーバ１００によって提供される教育課程を修了することにより、各作業に対する作業能力情報をアップグレードすることができる。
【０１０９】
サービスサーバ１００は、各作業別求職者の作業能力アップグレードのために、第１プロジェクト及び第２プロジェクトの作業のうち、少なくとも一つの作業に対する教育課程情報を前記求職者端末２００に送信することができる（Ｓ８１０）。このとき、教育課程情報は教育情報提供モジュール４４によって管理される。制御モジュール４０は、求職者の作業能力情報を考慮して、求職者の現在等級よりも高い等級取得のための教育課程に対する情報が送信されるようにする。前記送信された教育課程情報は、教育対象作業、教育日程及び場所などに対する情報を含むことができる。
【０１１０】
サービスサーバ１００は、教育課程の修了か否かについての情報を前記求職者端末２００から受信する（Ｓ８２０）。このような受信結果、前記求職者が前記教育課程を修了したものと認められると、制御モジュール４０は、書類／認証生成モジュール４６を用いて、教育課程修了に対する認証情報を生成することができる（Ｓ８３０）。生成された認証情報に基づいて、制御モジュール４０は、アップデートモジュール４３を用いて前記求職者の作業能力情報をアップデートすることができる（Ｓ８４０）。同時に、制御モジュール４０は、作業能力情報ＤＢ４１上の求職者の作業能力をアップグレードすることができる。
【０１１１】
一方、前記教育課程情報は、前記教育課程に該当するオンライン教育コンテンツを含むことができる。この場合、段階Ｓ６１０で、オンライン教育コンテンツが求職者端末２００に送信されると、求職者は、求職者端末２００を介して提供されるオンライン教育コンテンツを学習して教育課程を修了することもできる。
【０１１２】
図８において、求職者の作業能力情報がアップデートされると（Ｓ８４０）、サービスサーバ１００は、求職者端末２００へ作業能力情報のアップデート内訳を送信することができる。このとき、求職者の作業能力情報がアップデートされたので、制御モジュール４０は、作業能力情報に対応する作業情報もアップデートモジュール４３を用いてアップデートすることができる。サービスサーバ１００は、このようなアップデートされた作業情報を求職者端末２００へ送信することができる。また、作業能力情報がアップデートされると（Ｓ８４０）、制御モジュール４０は各プロジェクト別の作業選定を再び試みることができる。
【０１１３】
図８についての説明において、求職者の作業能力が教育課程修了によってアップグレードされる場合を説明したが、本発明の求職者の作業能力がアップグレードされる方式は、これに限定されない。また、場合によっては、求職者の作業能力はダウングレードされることも可能である。
【０１１４】
本発明の別の実施例によれば、求職者の各作業別作業能力情報は、特定の作業の求人者端末３００から取得した求職者の過去実行作業に対する評価情報を含むことができる。特に、評価情報は、求職者が選択した作業と同一または類似の作業を過去に行った経験がある場合、これに対する評価情報を含むことができる。前記評価情報は、過去に求職者が行った作業を開設した求人者または作業に一緒に参加した仲間から評価された情報を含むこともできる。
【０１１５】
たとえば、サービスサーバ１００は、前記特定の作業の求人者または前記特定の作業を一緒に行った仲間達の端末から前記評価情報を受信することができる。これにより、制御モジュール４０は、前記受信した評価情報に基づいて、求職者の作業能力情報をアップデートすることができる。
【０１１６】
このとき、制御モジュール４０は、評価情報上の評点が高い場合には求職者の作業能力をアップグレードすることができ、評点が低い場合には求職者の作業能力をダウングレードすることもできる。
【０１１７】
また、求職者の作業能力情報は、前記特定の作業と同一または類似の作業の求人者端末から受信した、求職者の過去実行作業に対する評価情報を含むこともできる。例えば、前記特定の作業が求人者Ａから開設された梨剪定作業である場合、前記特定の作業と同じ作業は、求人者Ｂから開設された梨剪定作業を意味することができる。また、前記類似の作業は、任意の求人者から開設されたリンゴ剪定作業を意味することができる。
【０１１８】
前記作業能力情報のアップデートに先立ち、サービスサーバ１００は、各作業が終了するたびに、求職者の作業実行結果に対する満足度を評価することができるようにするメニューを含むＵＩを、作業を開設した求人者端末３００に提供することができる。前記ＵＩは、該当作業を開設した求人者が該当作業を行った求職者に対する推薦文を入力するためのメニューを含むことができる。また、前記ＵＩは、求職者に対する推薦ボタン、求人者の求職者に対する満足度を視覚的に表示する絵文字入力などのメニューを含むこともできる。
【０１１９】
また、前記ＵＩは、求職者の作業実行過程に対する写真、音声、映像など、求職者の作業能力に関連した各種情報をさらに入力することが可能なメニューを含むこともできる。また、前記ＵＩは、複数の求人者の間で、前記求職者に対する評価情報を共有するためのメニューを含むことができる。
【０１２０】
前述したようなメニューの入力によって、求人者が求人者端末３００を介して求職者の作業実行結果に対する評価を入力すると、サービスサーバ１００はこれを受信し、制御モジュール４０はアップデートモジュール４３を介して作業能力情報ＤＢ４１をアップデートすることができる。求職者の作業能力情報がアップグレードされると、図３の段階Ｓ３３０で、制御モジュール４０は、第１プロジェクト及び第２プロジェクトの作業中、アップグレードされた作業能力情報にマッチングする作業を選定し、前記選定された作業で組み合わせられた作業組み合わせの予想所得を演算する。
【０１２１】
図９は本発明の一実施例に係る求職者の目標所得に対応する作業組み合わせを生成する過程のフローチャートである。
【０１２２】
図９を参照すると、図３に参照された方法は、求職者が作業を選択した後、作業に応じた予想所得確認手順に従うのに対し、図９に参照された方法は、求職者が所望の目標所得をまず決定した後、決定した目標所得の提供を受けるための作業、及びその作業情報の提供を受ける手順に従う。
【０１２３】
サービスサーバ１００は、求人者端末３００から作業情報を受信し、これを格納することができる（Ｓ９１０）。また、サービスサーバ１００は、求職者端末２００から求職者の目標所得を受信することができる（Ｓ９２０）。前記段階Ｓ９１０及び段階Ｓ９２０はその手順を異にすることができる。
【０１２４】
次に、求職者の作業能力情報に基づいて、制御モジュール４０は、前記一連の作業で構成された第１プロジェクトに対する作業情報、及び一連の作業で構成された第２プロジェクトに対する作業情報に基づいて、前記求職者の目標所得に対応する少なくとも一つの作業組み合わせを生成することができる（Ｓ９３０）。
【０１２５】
サービスサーバ１００は、前記生成された作業組み合わせに対する情報を前記求職者端末２００に送信することができる（Ｓ９４０）。これにより、求職者は、照会された作業情報上の作業への参加申請をして当該作業を行った後、目標所得を得ることができる。
【０１２６】
より具体的に、段階Ｓ９３０で、制御モジュール４０は、前記第１プロジェクトの作業の中から、前記求職者の作業能力情報にマッチングする一部の作業を選定することができる。また、制御モジュール４０は、前記第２プロジェクトの作業の中から、前記求職者の作業能力情報にマッチングする一部の作業を選定することができる。これにより、制御モジュール３０は、前記求職者の目標所得に対応するように、前記第１プロジェクトの作業の中から選定された作業、及び第２プロジェクトの作業の中から選定された作業を組み合わせることができる。
【０１２７】
図６の（ｂ）に示されている組み合わせ６６０を例として説明する。求職者が１０００万ウォンの目標所得を設定した場合、複数の組み合わせのうち、組み合わせ６６０が１０００万ウォンに既に設定された範囲で最も近接した所得を提供する組み合わせである場合、制御モジュール４０は、求職者の作業能力に符合する各作業中に、プロジェクト６２０からＢ１を選定し、プロジェクト６３０からＣ４を選定することができる。これにより、制御モジュールは作業組み合わせ６６０を生成することができる。
【０１２８】
もし、少なくとも一つの作業組み合わせが生成されない場合、たとえば、求職者の作業能力にマッチングする作業がないか、求職者の作業能力が一部の作業にはマッチングするが、他の作業に対して求職者の作業能力が足りなくて選定が不可能な場合があり得る。この場合、制御モジュール４０は、前記求職者の作業能力アップグレードのための教育課程スケジューリング情報を求職者端末２００に提供することができる。これについての説明は、上述した部分と重複するので省略する。
【０１２９】
また、本発明の一実施例によれば、段階Ｓ９４０で、前記生成された作業組み合わせに対する情報は、求職者が希望しない作業が含まれている場合、他の作業組み合わせの生成を要求することが可能なメニューを含むことができる。前記メニューは、例えば、求職者端末２００に表示されて求職者から他の作業組み合わせの生成に対する要求の入力を受けるための作業組み合わせ再生成ボタンであり得る。
【０１３０】
この場合に、求職者が前記メニューを介して他の作業組み合わせの生成を要求すると、サービスサーバ１００は、求職者端末２００から前記生成された作業組み合わせの他に別の作業組み合わせを生成することができる。具体的に、制御モジュール４０は、前記他の作業組み合わせの生成要求に対応して新規作業組み合わせを生成することができる。サービスサーバ１００は、生成された新規作業組み合わせに対する情報を前記求職者端末２００に送信することができる。
【０１３１】
ここで、制御モジュール４０が新規作業組み合わせを生成する過程を具体的に説明する。
【０１３２】
制御モジュール４０は、他の組み合わせの生成要求を受信すると、第１プロジェクトの作業のうち求職者の作業能力情報にマッチングする一部の作業、及び第２プロジェクトの作業のうち求職者の作業能力情報にマッチングする一部の作業のうちの少なくとも一つを新規選定することができる。このような制御モジュール４０は、新規選定された少なくとも一つの作業を含む新規作業組み合わせを生成することができる。
【０１３３】
このとき、第１プロジェクトと第２プロジェクトに含まれる一部の作業が全て新規選定されることも可能である。この場合に、制御モジュール４０は、新規選定された作業のみで構成された新規作業組み合わせを生成することができる。
【０１３４】
または、制御モジュール４０は、いずれか一つの作業のみを新規選定することもできる。例えば、制御モジュール４０は、第１プロジェクトに含まれている一部の作業を新規選定し、第２プロジェクトに含まれている一部の作業は新規選定しないこともあり得る。この場合、制御モジュール４０は、第１プロジェクトの作業のうち、新規選定された作業と第２プロジェクトの作業の中から既に選定された作業とを組み合わせて新規作業組み合わせを生成することができる。
【０１３５】
次に、図３及び図９で参照された本発明の一実施例において、求職者端末２００から作業に対する選好度情報を受信する段階がさらに含まれている場合を説明する。このとき、前記選好度情報は、求職者が選好するプロジェクト、作業種類、作業場所及び求人者情報などを含むことができる。また、前記選好度情報は、前記作業種類及び求人者情報などに対するお気に入り指定要求を含むこともできる。
【０１３６】
求職者は、求職者端末２００を介して前記選好度情報を入力することができ、特に、特定の作業または特定の求人者が登録した作業についてお気に入り指定要求を入力することができる。
【０１３７】
求職者端末２００から選好度情報を受信すると、制御モジュール４０は、選好度情報を求職者の作業能力情報またはアカウント情報に一緒に格納することができる。求人者端末３００から作業情報が受信されて登録されると、制御モジュール４０は、これを格納し、前記選好度情報に作業情報がマッチングするかどうかを判断することができる。
【０１３８】
マッチングする作業情報が存在すると、制御モジュール４０は、これを作業情報ＤＢ３０に格納することができる。サービスサーバ１００は、このように求職者の選好度情報にマッチングする作業情報を前記求職者端末２００へ送信することができる。
【０１３９】
特に、サービスサーバ１００は、選好度情報にマッチングする作業情報のうち、求職者から要求されたお気に入り指定作業、またはお気に入り指定求人者に対する情報が存在する場合、これを求職者端末２００へ送信することができる。
【０１４０】
また、サービスサーバ１００は、求職者端末２００へ、求職者の作業能力情報が、前記選好度情報にマッチングする作業情報にマッチングするかどうかに対する通知も送信することができる。たとえば、求職者の作業能力が、求職者の選好する作業が要求する作業能力に及ばない場合、求職者端末２００は、求職者の選好する作業に参加することができないことを知らせる通知を受信することができる。
【０１４１】
求職者は、前記通知に基づいて、自分が選好する作業に参加するために、選好する作業に関連した教育課程を修了するなどの作業能力をアップグレードするための努力を試みることができる。
【０１４２】
また、サービスサーバ１００は、求職者の選好する作業が要求する作業能力に求職者の作業能力が及ばない場合には、求職者の作業能力アップグレードのために、前記通知と一緒に求職者の作業能力アップグレードのための教育課程情報を送信することもできる。
【０１４３】
一方、特定の作業に対する求人が既に終了している場合があり得る。このような場合にも、作業の進行中に欠員が発生するか、労働条件悪化などの理由で追加人員が必要な場合が発生しうる。追加求人要求などの作業環境の変化による要求が求人者端末３００から送信されると、制御モジュール４０はこれを反映して作業情報をアップデートすることができる。
【０１４４】
図３の各段階のいずれかは次の段階をさらに含むことができる。求職者の作業能力情報にマッチングする作業情報を持つ作業のうち、求人の終了した作業が存在する場合を仮定する。このとき、図３の各段階は、サービスサーバ１００が求人者端末３００から前記求人の終了した作業に対する追加人員要求を受信する段階、及びサービスサーバ１００が前記求職者端末２００に前記追加人員要求を送信する段階をさらに含むことができる。
【０１４５】
一方、いくつかの実施例において、予想所得演算の際に、地域的な制約事項が反映できる。この場合、前記作業情報は各作業別の需要発生地域情報をさらに含み、前記求職者のアカウント情報は作業可能地域情報をさらに含むことができる。
【０１４６】
このとき、図３の段階Ｓ３３０の求職者の予想所得を演算する段階は、前記求職者の作業可能地域情報とマッチングする地域内で発生する前記所定期間の各作業別の求人需要量及び賃金情報を前記作業情報から照会する段階と、前記照会された各作業別の求人需要量及び賃金情報を用いて、前記求職者の所定期間の予想所得を演算する段階をさらに含むことができる。
【０１４７】
また、場合によって、気象状況悪化のように自然災害だけでなく、求人者の破産などの理由で、第１プロジェクト及び第２プロジェクトを構成する一部の作業中に求職者の作業能力情報にマッチングして選定されたにも拘わらず、作業の進行が不可能な場合が発生しうる。
【０１４８】
作業情報ＤＢ３０は、このような各作業別の作業取消条件を格納することができる。また、サービスサーバ１００は、求人者端末３００または外部機器から特定作業の取消事由を受信することができる。例えば、気象庁の端末からサービスサーバ１００が一定レベル以上の降雨量警報を受信した場合を仮定する。このとき、受信した降雨量警報が作業の組み合わせを構成する特定作業の取消条件を満足する場合には、制御モジュール４０は、前記特定の作業を除いた他の作業の中から前記特定の作業の代替作業を選定することができる。
【０１４９】
例えば、第１プロジェクトからＡ１、Ａ３が選定され、第２プロジェクトからＢ２、Ｂ４が選定され、作業組み合わせとしてＡ１＋Ｂ４が生成された場合を仮定しよう。また、各作業は求人時期をすべて異ならせると仮定する。このとき、Ｂ４作業は作業取消条件を満足する場合、
制御モジュール４０は、Ｂ４の代替作業として他の作業Ｂ２を選定し、Ｂ２とＡ１との作業組み合わせを生成することができる。
【０１５０】
一方、本発明は、一人の求職者だけでなく、複数の求職者が構成する作業ギルド（ｇｕｉｌｄ）に対しても適用できる。この場合、求人公告で作業ギルド選好オプションがマッチングする場合には、求人求職のマッチングにおいて、作業ギルドに対してマッチング優先権が与えられ得る。
【０１５１】
求職者のアカウント情報は作業ギルド情報を含むことができ、前記作業ギルド情報はギルドの作業能力情報を含むこともできる。
【０１５２】
制御モジュール４０は、求人者が開設した第１プロジェクトの作業情報上の求人人員数と作業ギルドのメンバー数とがマッチングする作業が存在するか否かを判断することができる。また、制御モジュール４０は、前記作業情報上の要求作業能力に作業ギルドメンバー個人の作業能力情報がマッチングしなくても、仕事ギルドの作業能力情報が前記要求作業能力にマッチングする場合、前記第１プロジェクトの作業の中から、前記マッチングする作業を選定することができる。
【０１５３】
制御モジュール４０は、同様の方法で、第２プロジェクトの作業の中からマッチングする作業を選定することができ、選定された作業から少なくとも一つの作業組み合わせを生成することもできる。制御モジュール４０は、生成された作業組み合わせに基づいて作業ギルドの所定期間の予想所得を演算することもできる。
【０１５４】
また、求人者は、前述したような作業ギルドの作業実行を選好することもできる。この場合に、求人者端末３００から受信される作業情報は、作業ギルドの求職に優先権を付与する情報を含むこともできる。
【０１５５】
今まで図１〜図９を参照して説明された本発明の実施例に係る方法は、コンピュータが読み取ることが可能なコードで実現されたコンピュータプログラムの実行によって行われ得る。前記コンピュータプログラムは、インターネットなどのネットワークを介して第１コンピューティングデバイスから第２コンピューティングデバイスへ送信されて前記第２コンピューティングデバイスにインストールでき、これにより前記第２コンピューティングデバイスで使用できる。前記第１コンピューティングデバイス及び前記第２コンピューティングデバイスは、サーバ装置、デスクトップＰＣなどの固定式コンピューティングデバイス、ノートパソコン、スマートフォン、タブレットＰＣなどのモバイルコンピューティングデバイスを全て含む。
【０１５６】
以上、添付図面を参照して本発明の実施例を説明したが、本発明の属する技術分野における通常の知識を有する者は、本発明がその技術的思想や必須の特徴を変更することなく、他の具体的な形態で実施できることを理解することができるだろう。したがって、上述した実施例は、あらゆる面で例示的なもので、限定的なものではないと理解すべきである。
【図１】
2018514883.tif 000004
【図２】
2018514883.tif 000005
【図３】
2018514883.tif 000006
【図４】
2018514883.tif 000007
【図５】
2018514883.tif 000008
【図６】
2018514883.tif 000009
【図７】
2018514883.tif 000010
【図８】
2018514883.tif 000011
【図９】
2018514883.tif 000012
【国際調査報告】
2018514883.tif 000013
2018514883.tif 000014
2018514883.tif 000015
2018514883.tif 000016